(57)【特許請求の範囲】
【請求項１】
機器本体に対して初期状態から第１の方向と当該第１の方向とは逆方向の第２の方向とに回動可能な操作部材と、
前記操作部材を検出する第１の検出手段と、
前記操作部材を検出する第２の検出手段と、
前記第１の検出手段及び前記第２の検出手段の検出結果に基づいて、前記操作部材に対応した機能の制御を行う制御手段と、を有し、
前記第１の検出手段は、前記操作部材を前記第１の方向に回動させた場合に、前記第２の検出手段により前記操作部材が検出される前に、当該操作部材を検出する位置に配置され、
前記第２の検出手段は、前記操作部材を前記第２の方向に回動させた場合に、前記第１の検出手段により前記操作部材が検出される前に、当該操作部材を検出する位置に配置され、
前記第１の検出手段及び前記第２の検出手段は、前記操作部材の回動軸と平行な面に電子部品を実装した基板における前記操作部材の回動軸と垂直な面に設けられていて、
前記垂直な面の前記第１の検出手段と前記第２の検出手段との中間及び前記回動軸を通る方向において、前記回動軸から前記第１の検出手段の中心及び前記第２の検出手段の中心までの距離は、前記回動軸から前記操作部材の最も遠い端までの距離よりも短いことを特徴とする電子機器。
【請求項２】
前記第１の検出手段は、前記操作部材を前記第２の方向に回動させた場合に、前記第２の検出手段により前記操作部材が検出された状態で当該操作部材を検出し、
前記第２の検出手段は、前記操作部材を前記第１の方向に回動させた場合に、前記第１の検出手段により前記操作部材が検出された状態で当該操作部材を検出することを特徴とする請求項１に記載の電子機器。
【請求項３】
前記制御手段は、前記第１の検出手段と前記第２の検出手段とにより前記操作部材が検出された場合、前記第１の検出手段と前記第２の検出手段とにより前記操作部材が検出される直前の制御状態に基づいて前記機能の制御を行うことを特徴とする請求項２に記載の電子機器。
【請求項４】
前記制御手段は、前記第１の検出手段と前記第２の検出手段とにより前記操作部材が検出された場合、前記第１の検出手段と前記第２の検出手段とにより前記操作部材が検出される直前の前記第１の検出手段及び前記第２の検出手段の検出結果に基づいて前記機能の制御を行うことを特徴とする請求項２に記載の電子機器。
【請求項５】
前記制御手段は、前記第１の検出手段及び前記第２の検出手段のいずれか一方のみで前記操作部材が検出された場合と、前記第１の検出手段と前記第２の検出手段とにより前記操作部材が検出された場合とで、前記機能のパラメータの変化量を変更することを特徴とする請求項２ないし４のいずれか１項に記載の電子機器。
【請求項６】
前記操作部材は、前記機器本体に対して前記初期状態から所定の範囲内で回動可能であって、
前記第１の検出手段は、前記操作部材を前記第１の方向に第１の回動角度回動させたときに当該操作部材を検出する位置であって、前記操作部材を前記第２の方向に前記第１の回動角度よりも大きい第２の回動角度回動させたときに当該操作部材を検出する位置に配置され、
前記第２の検出手段は、前記操作部材を前記第１の方向に前記第２の回動角度回動させたときに当該操作部材を検出する位置であって、前記操作部材を前記第２の方向に前記第１の回動角度回動させたときに当該操作部材を検出する位置に配置されることを特徴とする請求項１ないし５のいずれか１項に記載の電子機器。
【発明の詳細な説明】
【技術分野】
【０００１】
本発明は、機器本体に対して初期状態から双方向に移動可能な操作部材を有する電子機器に関し、特に、操作部材への操作量に応じて当該操作部材に対応する機能のパラメータの変化量を変更することができる電子機器に関するものである。
【背景技術】
【０００２】
従来、撮像装置のような電子機器において、撮影光学系の焦点距離を変更する機能、いわゆるズーム機能を有するものがある。このような撮像装置では、ズーム機能を実行するためのズーム操作部材が撮像装置外装部に設けられており、中立位置（非操作位置）から一方向に操作すると、撮影光学系の焦点距離をワイド方向に切替えることができる。あるいは、中立位置から他方向に操作すると、撮影光学系の焦点距離をテレ方向に切替えることができる。
【０００３】
また近年の撮像装置は、ズーム機能における焦点距離の変化速度（ズ−ム速度）を低速から高速へと変更可能な撮像装置も提供されている。
【０００４】
例えば、特許文献１に記載された電子機器では、操作部材が非操作位置から第１の操作量操作されることで切り換わる第１のスイッチと、非操作位置から第１の操作量より大きい第２の操作量操作されることで切り換わる第２のスイッチとを有している。そして、第１のスイッチは、操作部材の移動によって動く切り換えレバー部を有し、第２のスイッチは、操作部材の操作方向端部が突き当たることで切り換わる構成をとっている。そして、第１のスイッチの切り換わりに応じて第１の速度でズーム動作を行い、第２のスイッチの切り換わりに応じて第１の速度より速い第２の速度でズーム動作を行うことでズーム速度を変更可能にしている。
【先行技術文献】
【特許文献】
【０００５】
【特許文献１】特開２００８−１８６６５１号公報
【発明の概要】
【発明が解決しようとする課題】
【０００６】
しかしながら、特許文献１に記載された電子機器では、第１のスイッチ及び第２のスイッチの切り換えを行うために少なくとも３つの検出スイッチが必要となる。その分、検出スイッチのスペースも確保せねばならないので、機器本体の小型化の妨げとなっていた。
【０００７】
そこで、本発明は、操作部材への操作量に応じて当該操作部材に対応する機能のパラメータの変化量を変更することができる電子機器において、操作部材への操作量の変化を検出するために必要なスペースを削減することを目的とする。
【課題を解決するための手段】
【０００８】
上記目的を達成するために、本発明にかかる電子機器は、機器本体に対して初期状態から第１の方向と当該第１の方向とは逆方向の第２の方向とに回動可能な操作部材と、前記操作部材を検出する第１の検出手段と、前記操作部材を検出する第２の検出手段と、前記第１の検出手段及び前記第２の検出手段の検出結果に基づいて、前記操作部材に対応した機能の制御を行う制御手段と、を有し、前記第１の検出手段は、前記操作部材を前記第１の方向に回動させた場合に、前記第２の検出手段により前記操作部材が検出される前に、当該操作部材を検出する位置に配置され、前記第２の検出手段は、前記操作部材を前記第２の方向に回動させた場合に、前記第１の検出手段により前記操作部材が検出される前に、当該操作部材を検出する位置に配置され、前記第１の検出手段及び前記第２の検出手段は、前記操作部材の回動軸と平行な面に電子部品を実装した基板における前記操作部材の回動軸と垂直な面に設けられていて、前記垂直な面の前記第１の検出手段と前記第２の検出手段との中間及び前記回動軸を通る方向において、前記回動軸から前記第１の検出手段の中心及び前記第２の検出手段の中心までの距離は、前記回動軸から前記操作部材の最も遠い端までの距離よりも短いことを特徴とする。
【発明の効果】
【０００９】
本発明によれば、操作部材への操作量に応じて当該操作部材に対応する機能のパラメータの変化量を変更することができる電子機器において、操作部材への操作量の変化を検出するために必要なスペースを削減することができる。
【図面の簡単な説明】
【００１０】
【図１】本発明にかかる第１の実施形態であるデジタルカメラの外観斜視図。
【図２】第１の実施形態であるデジタルカメラのトップユニットの構成図。
【図３】第１の実施形態であるデジタルカメラの内部構成図。
【図４】第１の実施形態であるデジタルカメラのズームレバーが中立位置にある状態の構成図。
【図５】第１の実施形態であるデジタルカメラのズームレバーが時計回り方向に回動角度θ１だけ回動した状態の構成図。
【図６】第１の実施形態であるデジタルカメラのズームレバーが時計回り方向に回動角度θ２だけ回動した状態の構成図。
【図７】第１の実施形態であるデジタルカメラの検出スイッチの出力とズームレバーの回動角度との関係を示す図。
【図８】第２の実施形態であるデジタルカメラの内部構成図。
【図９】第２の実施形態であるデジタルカメラのズームスイッチが中立位置にある状態の構成図。
【発明を実施するための形態】
【００１１】
（第１の実施形態）
以下に、本発明の好ましい実施の形態を、添付の図面に基づいて詳細に説明する。
【００１２】
図１は、本発明にかかる実施形態であるデジタルカメラの外観斜視図である。図１において、カメラ本体１の前面の中央には撮影レンズを保持するレンズ鏡筒２があり、撮影レンズを光軸方向に移動させることにより、撮影レンズの焦点距離を変更する。すなわち、本実施形態の撮影レンズは、所謂ズームレンズになっており、複数枚のレンズから構成され、そのレンズ位置を移動させることにより焦点距離、すなわちズーム倍率を変化させることができる。このようにズームレンズによりなされるズームは一般に光学ズームと呼ばれている。一方で、本実施形態のデジタルカメラは電子ズーム機能も有している。この電子ズームは、撮像装置からの画像信号の一部を拡大して表示することにより、ズーム倍率を変化させるものである。
【００１３】
カメラ本体１の上面にはズームレバー３があり、上述した光学ズームや電子ズームの倍率を変更するために操作される。また、ズームレバー３は円筒状に形成されていて、円筒状の中心軸を中心に時計回り方向（第１の方向）および反時計回り方向（第２の方向）の双方向に所定の範囲内で回動可能となっている。そして、回動方向に応じてズーム倍率をワイド方向あるいはテレ方向に変更することができる。また、ズームレバー３への操作量に応じて対応する機能のパラメータの変化量、すなわち、ズーム速度を変更することができる。
【００１４】
ズームレバー３の中心にはレリーズボタン４があり、レリーズボタン４は２段階の押圧操作を検出する構成となっている。このレリーズボタン４への半押し操作（１段階の押圧操作）で、撮影準備動作（測光動作や測距動作等）が開始される。レリーズボタン４への全押し操作（２段階の押圧操作）で、被写体を撮像し、記録媒体に被写体像の画像デ−タを記録する。ズームレバー３の近傍には電源ボタン７があり、電源ボタン７は、カメラの主電源のＯＮ／ＯＦＦを行う。
【００１５】
カメラ本体１の前面におけるレンズ鏡筒２の右上にはストロボの発光窓５があり、被写体が暗い時など撮影シーンに応じてストロボが発光する。
【００１６】
ストロボの発光窓５の上にモードスイッチ６がある。モードスイッチ６は左右にスライド可能で、ＡＵＴＯモード、カメラモード、動画モードの３つの撮影モードを選択する。ＡＵＴＯモードはカメラの設定を何も行わないで撮影が始められる静止画撮影モードで、カメラモードではシャッターと絞りのプログラム線図を選択したり、ストロボの発行を禁止したりといったカメラの設定を手動で選択した上で静止画撮影を行うモードである。
【００１７】
次に、ズームレバー３を含むトップユニット８の構成について図２を用いて詳細に説明する。図２（ａ）〜（ｅ）はそれぞれトップユニット８の斜視図、上面図、下面図、断面図、展開図である。
【００１８】
トップベース９にはベース穴部９ａと２つの円弧穴部９ｂ、９ｃが空けられている。ズームレバー３には回転軸があり、回転軸の中心にはボタン穴部３ａが空けられている。ズームレバー３の回転軸を、トップベース９に設けられたベース穴部９ａに貫通させることにより、ズームレバー３は回転軸を中心に回動可能となる。ズームレバー３には取り付けボス３ｂが１組設けられている。トップベース９の２つの円弧穴部９ｂ、９ｃに貫通させた取り付けボス３ｂに、ズームプレート１０の取り付け穴１０ａを通したビス１１を組み付けることで、ズームレバー３とズームプレート１０とが固定される。
【００１９】
ズームレバー３とズームプレート１０は回転軸を中心に、取り付けボス３ｂが２つの円弧穴部９ｂ、９ｃの中を移動可能な所定の範囲内で回動可能となる。ズームプレート１０には扇形の羽根部１０ｂ、１０ｃ、１０ｄと略垂直に折り曲げたバネ掛け１０ｅが設けられている。
【００２０】
トップベース９の裏面には、不図示のバネ取り付け軸があり２本の腕の出たコイルバネ１２を組み込んでビス１３により抜けなくする。コイルバネ１２の２本の腕はトップベース９の裏面のストッパー軸９ｄとバネ掛け１０ｅを挟むように取り付ける。コイルバネ１２の第１の腕は、ズームレバー３が時計回り方向に回動したときにチャージされズームレバー３を反時計回り方向に付勢する。また、コイルバネ１２の第１の腕は、ズームレバー３が反時計回り方向に回動したときはトップベース９の裏面のストッパー軸９ｄにかかったままで動かず、コイルバネ１２の第２の腕がズームレバー３を反時計回り方向に付勢することを補助する。
【００２１】
コイルバネ１２の第２の腕は、ズームレバー３が反時計回り方向に回動したときにチャージされズームレバー３を時計回り方向に付勢する。また、コイルバネ１２の第２の腕は、ズームレバー３が時計回り方向に回動したときはトップベース９の裏面のストッパー軸９ｄにかかったままで動かず、コイルバネ１２の第１の腕がズームレバーを時計回り方向に付勢することを補助する。
【００２２】
ズームレバー３のボタン穴部３ａの周りにボタンばね１４をはめ込み、レリーズボタン４でボタンばね１４をチャージしながら組み付ける。レリーズボタン４には爪がありこの爪がズームレバー３にスナップフィットする。
【００２３】
レリーズボタン４はレリーズキャップ４ａとレリーズボタン足部４ｂに分かれている。なお、レリーズボタン４はレリーズキャップ４ａとレリーズボタン足部４ｂに分かれているが、一体でもよい。この後、モードスイッチ６や電源ボタン７の操作用部品を組み付けることでトップユニット８が完成する。
【００２４】
次に、カメラ本体１の内部構成について図３を用いて説明する。メインシャーシ１５にはフレキシブル基板１６が組み付けられている。
【００２５】
また、フレキシブル基板１６には２つの検出スイッチ１７ａ、ｂが組み付けられており、２つの検出スイッチ１７ａ、ｂは、ズームレバー３に対して操作を行っていない状態でズームプレート１０の羽根部１０ｂ、１０ｃ、１０ｄが検出位置にこないよう配置される。具体的には、第１の羽根部１０ｂ、第２の羽根部１０ｃの間に第２の検出スイッチ１７ｂが配置され、第２の羽根部１０ｃ、第３の羽根部１０ｄの間に第１の検出スイッチ１７ａが配置される。
【００２６】
なお、検出スイッチ１７ａは、ズームプレート１０の回転中心に向かって突出したスイッチ突起部１７ｃが、ズームプレートが回動したときに第２の羽根部１０ｃ及び第３の羽根部１０ｄに押されるように配置される。同様に、検出スイッチ１７ｂは、ズームプレート１０の回転中心に向かって突出したスイッチ突起部１７ｃが、ズームプレートが回動したときに第１の羽根部１０ｂ及び第２の羽根部１０ｃに押されるように配置される。検出スイッチ１７ａ及び１７ｂは、それぞれのスイッチ突起部１７ｃが所定量押されるとＯＮ状態となる。このスイッチ突起部１７ｃが所定量押されたときの羽根部の位置が、検出スイッチ１７ａ及び１７ｂの検出位置である。
【００２７】
次に、ズームレバー３に対する操作量の検出方法について図４ないし図７を用いて説明する。
【００２８】
図４はズームレバー３に対し操作を行っておらず、ズームレバー３が中立位置にある状態を示す図である。なお、図４のようにズームレバー３が中立位置にある状態を回動角度０度とし、ズームレバー３の初期状態とする。図４（ａ）〜（ｃ）はそれぞれズームレバー３の断面図、上面図、正面図である。
【００２９】
図４（ａ）に示すように、初期状態ではズームプレート１０の第１の羽根部１０ｂ、第２の羽根部１０ｃ、第３の羽根部１０ｄは、２つの検出スイッチ１７ａ、ｂの検出位置にはない。そして、第２の羽根部１０ｃにより第１の検出スイッチ１７ａのスイッチ突起部１７ｃが押され第１の検出スイッチ１７ａがＯＮ状態となる時計回り方向の回動角度をθ１（第１の回動角度）とする。また、第１の羽根部１０ｂにより第２の検出スイッチ１７ｂのスイッチ突起部１７ｃが押され第２の検出スイッチ１７ｂがＯＮ状態となる時計回り方向の回動角度をθ２（第２の回動角度）とする。このとき、θ１とθ２とは、θ１＜θ２の関係を満たしており、ズームプレート１０が時計回り方向に回動するとき、第１の検出スイッチ１７ａが第２の検出スイッチ１７ｂよりも前にＯＮ状態となる。なお、操作性を考慮すると回動角度θ２は９０度以下の角度であることが望ましい。
【００３０】
図５はズームレバー３に力を加え時計回り方向に回動角度θ１だけ回動させた状態を示している。図５（ａ）〜（ｃ）はそれぞれズームレバー３の断面図、上面図、正面図である。
【００３１】
図５（ａ）に示すように、回動角度θ１だけ回動させると、第１の検出スイッチ１７ａのスイッチ突起部１７ｃが第２の羽根部１０ｃによって押されてＯＮ状態となる。すなわち、第１の検出スイッチ１７ａは、第２の羽根部１０ｃが検出位置に達したことを検出する。このとき、第２の検出スイッチ１７ｂは第１の羽根部１０ｂによりスイッチ突起部１７ｃが押されていないためＯＦＦ状態である。すなわち、第２の検出スイッチ１７ａは、第２の羽根部１０ｃが検出位置に達したことを検出していない。第２の検出スイッチ１７ｂがＯＦＦ状態で、第１の検出スイッチ１７ａがＯＮ状態となることで、広角方向に所定の速度ω１（第１の速度）でズーム倍率変更動作（以下では、変倍動作とする）が行われる。
【００３２】
図６は、図５に示した状態からさらにズームレバー３に力を加え、時計回り方向に回動角度θ２だけ回動させた状態を示している。図６（ａ）〜（ｃ）はそれぞれズームレバー３の断面図、上面図、正面図である。
【００３３】
図６（ａ）に示すように、回動角度θ２だけ回動させると、第１の検出スイッチ１７ａがＯＮ状態のまま第２の検出スイッチ１７ｂのスイッチ突起部１７ｃが第１の羽根部１０ｂによって押されてＯＮ状態となる。すなわち、第２の検出スイッチ１７ｂは、第１の羽根部１０ｂが検出位置に達したことを検出する。第１の検出スイッチ１７ａがＯＮ状態で、第２の検出スイッチ１７ｂがＯＮ状態となることで、広角方向のズーム速度が所定の速度ω１よりも速い所定の速度ω２（第２の速度）に変更される。
【００３４】
図５あるいは図６示した状態で、ズームレバー３に対する操作を終えると、ズームレバー３はコイルバネ１２の力で図４に示した初期状態に戻る。このとき、第１の検出スイッチ１７ａ及び第２の検出スイッチ１７ｂは第１の羽根部１０ｂ及び第２の羽根部１０ｃを検出していないので、ともにＯＦＦ状態となり変倍動作を停止する。
【００３５】
以上は、ズームレバー３を時計回り方向に回動させて広角方向に変倍動作を行う場合についての説明である。
【００３６】
ズームレバー３を反時計回り方向に回動させた場合は、時計回り方向に回動させた場合とは逆に、第２の検出スイッチ１７ｂが第１の検出スイッチ１７ａよりも前にＯＮ状態となるように、第１の検出スイッチ１７ａ及び第２の検出スイッチ１７ｂを配置する。すなわち、第２の羽根部１０ｃにより第２の検出スイッチ１７ｂのスイッチ突起部１７ｃが押され第２の検出スイッチ１７ｂがＯＮ状態となる反時計回り方向の回動角度をθ１（第１の回動角度）とする。また、第３の羽根部１０ｄにより第１の検出スイッチ１７ａのスイッチ突起部１７ｃが押され第１の検出スイッチ１７ａがＯＮ状態となる反時計回り方向の回動角度をθ２（第２の回動角度）とする。なお、ズームレバー３を反時計回り方向に回動させたときに第２の検出スイッチ１７ｂが第１の検出スイッチ１７ａよりも先にＯＮ状態となる角度であれば、第２の検出スイッチ１７ｂがＯＮ状態となる反時計回り方向の回動角度はθ１でなくてもよい。同様に、ズームレバー３を反時計回り方向に回動させたときに第２の検出スイッチ１７ｂが第１の検出スイッチ１７ａよりも先にＯＮ状態となる角度であれば、第１の検出スイッチ１７ａがＯＮ状態となる反時計回り方向の回動角度はθ２でなくてもよい。
【００３７】
ズームレバー３を反時計回り方向に回動角度θ１だけ回動させると、第２の検出スイッチ１７ｂのスイッチ突起部１７ｃが第２の羽根部１０ｃによって押されてＯＮ状態となる。このように、第１の検出スイッチ１７ａがＯＦＦ状態で、第２の検出スイッチ１７ｂがＯＮ状態となることで、望遠方向に所定の速度ω１（第１の速度）で変倍動作が行われる。
【００３８】
ズームレバー３を反時計回り方向に回動角度θ２だけ回動させると、第２の検出スイッチ１７ｂがＯＮ状態で第１の検出スイッチ１７ａのスイッチ突起部１７ｃが第３の羽根部１０ｃによって押されてＯＮ状態となる。第１の検出スイッチ１７ａがＯＮ状態で、第２の検出スイッチ１７ｂがＯＮ状態となることで、望遠方向のズーム速度が所定の速度ω１よりも速い所定の速度ω２（第２の速度）に変更される。ここで、望遠方向に変倍動作を行う際の速度を広角方向に変倍動作を行う際の速度と同一としたが、望遠方向と広角方向とで異なるズーム速度にしても構わない。
【００３９】
なお、ズームレバー３を時計回り方向に回動角度θ２だけ回動させた場合と、反時計回り方向に回動角度θ２だけ回動させた場合とは、ともに第１の検出スイッチ１７ａと第２の検出スイッチ１７ｂとがＯＮ状態となっている。そこで、第１の検出スイッチ１７ａと第２の検出スイッチ１７ｂとがＯＮ状態になった場合については、後述の図７の説明において詳しく述べる。
【００４０】
なお、本実施の形態では、第１の羽根部１０ｂと第３の羽根部１０ｄとの間にバネ掛け１０ｅが設けられているため、第１の羽根部１０ｂと第３の羽根部１０ｄとが分割されているが、第１の羽根部１０ｂと第３の羽根部１０ｄとが繋がった羽根部であってもよい。
【００４１】
また、本実施の形態では、第２の羽根部１０ｃが第１の検出スイッチ１７ａ及び第２の検出スイッチ１７ｂのそれぞれのスイッチ突起部１７ｃを押しているが、２つの羽根部にしてそれぞれが異なるスイッチ突起部１７ｃを押すようにしてもよい。このとき、２つの羽根部は、ズームレバー３を回動させたときに第１の羽根部１０ｂあるいは第３の羽根部１０ｄよりも先にスイッチ突起部１７ｃを押すことになる。そのため、第１の羽根部１０ｂあるいは第３の羽根部１０ｄでスイッチ突起部１７ｃを押すまでスイッチ突起部１７ｃを押し続ける大きさであることが望ましい。
【００４２】
図７は、第１の検出スイッチ１７ａ及び第２の検出スイッチ１７ｂの出力とズームレバー３の回動角度との関係を示す図である。
【００４３】
回動角度がθ１未満の場合、時計回り方向及び反時計回り方向ともに、第１の検出スイッチ１７ａ及び第２の検出スイッチ１７ｂは羽根部を検出していない。そのため、第１の検出スイッチ１７ａ及び第２の検出スイッチ１７ｂはともにＯＦＦ状態であり、変倍動作は行われない。
【００４４】
回動角度がθ１以上でθ２未満の場合、第１の検出スイッチ１７ａ及び第２の検出スイッチ１７ｂのいずれか一方のみ羽根部を検出する。そのため、第１の検出スイッチ１７ａ及び第２の検出スイッチ１７ｂのいずれか一方はＯＮ状態で他方はＯＦＦ状態であり、ＯＮ状態とＯＦＦ状態との組み合わせに応じて、ズーム方向及びズーム速度を選択する。
【００４５】
回動角度がθ２以上の場合、時計回り方向及び反時計回り方向ともに、第１の検出スイッチ１７ａ及び第２の検出スイッチ１７ｂの両方が羽根部を検出する。そのため、第１の検出スイッチ１７ａ及び第２の検出スイッチ１７ｂはともにＯＮ状態であり、この状態に移行する直前の第１の検出スイッチ１７ａ及び第２の検出スイッチ１７ｂの状態（検出結果）に応じて、ズーム方向及びズーム速度を選択する。あるいは、この状態に移行する直前のズーム方向及びズーム速度などの制御状態に応じて、ズーム方向及びズーム速度を選択する。
【００４６】
なお、ズーム方向及びズーム速度の選択や変倍動作の停止などの制御は、第１の検出スイッチ１７ａ及び第２の検出スイッチ１７ｂの検出結果に基づいて、不図示のＣＰＵにより行われる。
【００４７】
以上のように、本実施形態では、２つの検出スイッチ１７で広角方向及び望遠方向のズーム速度をそれぞれ低速と高速で変更することができる。すなわち、２つの検出スイッチ１７でズームレバー３への操作量及びズームレバー３の回動方向を検出することができ、ズームレバー３への操作量の変化を検出するために必要なスペースを削減することができる。
【００４８】
（第２の実施形態）
本実施形態のデジタルカメラは、第１の実施形態のデジタルカメラとほぼ同様の構成であるが、ズームプレート１０の羽根部を検出する機構が異なっている。
【００４９】
図８は、本実施形態であるデジタルカメラの内部構成を示した図であり、トップユニット８、メインシャーシ１５、メイン基板１８の展開図である。
【００５０】
図９はズームレバー３に対して操作を行っておらず、ズームレバー３の初期状態（回動角度０度）を示す図である。図９（ａ）〜（ｃ）はそれぞれズームレバー３の断面図、上面図、正面図である。
【００５１】
本実施形態では、メインシャーシ１５に前方から組みつけるメイン基板１８の上部に浅く幅の広い切欠きがあり、この切欠きの両側に検出スイッチである２つのフォトインタラプタ１９ａ、ｂ（以下、ＰＩとする）が組み付けられている。
【００５２】
メインシャーシ１５には上部からトップユニット８が組み付けられ、トップユニット８を組み付けると、ズームプレート１０は２つのＰＩ１９ａ、ｂを実装したメイン基板１８の浅く幅の広い切欠き部にはいる。このとき、ズームプレート１０の羽根部１０ｂ、１０ｃ、１０ｄが、２つのＰＩ１９ａ、ｂのスリットと同一平面となるように、切り欠き部の深さ及び２つのＰＩ１９ａ、ｂの位置が調整されている。
【００５３】
第１の実施形態に同様に、ズームプレート１０の羽根部１０ｂ、１０ｃ、１０ｄは、ズームレバー３に対して操作を行っていない状態において２つのＰＩ１９ａ、ｂの検出位置にこないように配置される。具体的には、第１の羽根部１０ｂ、第２の羽根部１０ｃの間に第２のＰＩ１９ｂが配置され、第２の羽根部１０ｃ、第３の羽根部１０ｄの間に第１のＰＩ１９ａが配置される。２つのＰＩ１９ａ、ｂは、検出位置である光路中にズームプレート１０の羽根部１０ｂ、１０ｃ、１０ｄが侵入することで、ズームプレート１０の羽根部１０ｂ、１０ｃ、１０ｄが検出位置に達したことを検出する。
【００５４】
ズームレバー３に対する操作量の検出方法については、第１の実施形態１と同様であるため詳細な説明は省略する。
【００５５】
以上のように、本実施形態では、２つのＰＩ１９ａ、ｂでズームレバー３への操作量及びズームレバー３の回動方向を検出することができ、ズームレバー３への操作量の変化を検出するために必要なスペースを削減することができる。
【００５６】
また、ズームレバー３に対する操作量の検出に２つのＰＩ１９ａ、ｂを用いることで、第１の実施形態で検出スイッチを実装していた上面の基板が不要になるため、よりズームレバー３への操作量の変化を検出するために必要なスペースを削減することができる。
【００５７】
また、メイン基板１８に設けた切り欠き部のスペースでズームレバー３に対する操作量の検出を行うことで、よりズームレバー３への操作量の変化を検出するために必要なスペースを削減することができる。
【００５８】
また、特許文献１に記載された電子機器では、第２のスイッチは、操作部材の操作方向端部が突き当たることで切り換わるため、第２の速度でズーム動作を行う際には操作方向端部が突き当たる衝突音が発生してしまう。そのため、音声も記録される動画撮影時に第２の速度でズーム動作を行うと前述の衝突音が録音されてしまうという問題もあった。しかしながら、本実施形態では、２つのＰＩ１９ａ、ｂによりズームレバー３に接触することなくズームレバー３への操作量を検出することができるため、ズームレバー３を操作したときに生じる操作音を軽減することができる。なお、ズームレバー３への操作量を非接触で検出するフォトインタラプタの代わりにフォトリフレクタを用いても同様の効果を得ることができる。
【００５９】
また、上記の２つの実施形態では、ズームレバー３のような機器本体に対して回動可能な操作部材に適用した場合を説明したが、機器本体に対して移動可能な操作部材であれば、直動可能な操作部材にも適用することが可能である。
【００６０】
また、上記の２つの実施形態では、ズーム倍率を変更させるための操作部材に適応した場合を説明したが、その他の機能に対応した操作部材に適用しても構わない。例えば、記録媒体に記録された複数の画像のうちの１つを不図示の画像表示部に表示させる再生モードにおいて、表示させる画像を次の画像に変更する画像送り操作の速度を変更させる操作部材に適用しても構わない。
【００６１】
また、上述した画像送り操作のような、撮像装置以外の電子機器でも実行可能な機能にも適用可能であるため、操作部材への操作量に応じて当該操作部材に対応する機能のパラメータの変化量を変更させる電子機器であれば本発明を適用することができる。
【００６２】
以上のように、上記の２つの実施形態は、いずれも本発明を実施するに当たっての具体化の例を示したものに過ぎず、これらによって本発明の技術範囲が限定的に解釈されてはならない。本発明はその技術思想又はその主要な特徴から逸脱することなく、様々な形で実施することが可能である。
【符号の説明】
【００６３】
１  カメラ本体
３  ズームレバー
１０  ズームプレート
１５  メインシャーシ
１６  フレキシブル基板
１７  検出スイッチ
１８  メイン基板
１９  フォトインタラプタ
【図１】
0005818422.tif 000002
【図２】
0005818422.tif 000003
【図３】
0005818422.tif 000004
【図４】
0005818422.tif 000005
【図５】
0005818422.tif 000006
【図６】
0005818422.tif 000007
【図７】
0005818422.tif 000008
【図８】
0005818422.tif 000009
【図９】
0005818422.tif 000010